(57)【要約】【課題】高速回転時にも別の部材を追加することなくモーターの性能を確保することができ、コストを低減することができるスピンドルモーターを提供する。【解決手段】回転軸１４０及びマグネット１５１を含む回転部と、回転軸１４０を支持するベアリング１２０及びマグネット１５１と対応する電機子１３０を含む固定部とからなり、マグネット１５１と電機子１３０の電磁気力によって前記回転部が回転するスピンドルモーター１００である。前記固定部は、回転軸１４０を支持するプレート１１０と、プレート１１０の上部に装着され、プレート１１０と電機子１３０との間に配置されることにより通電を遮断するフレキシブル回路基板１６０と、を含む。【選択図】図１
2012143122.tif 000002
【特許請求の範囲】
【請求項１】
回転軸及びマグネットを含む回転部と、前記回転軸を支持するベアリング及び前記マグネットと対応する電機子を含む固定部とからなり、前記マグネットと前記電機子の電磁気力によって前記回転部が回転するスピンドルモーターであって、
前記固定部は、
前記回転軸を支持するプレートと、
前記プレートの上部に装着され、前記プレートと前記電機子との間に配置されることにより通電を遮断するフレキシブル回路基板と、を含むことを特徴とするスピンドルモーター。
【請求項２】
前記フレキシブル回路基板の回転軸側の端部は、前記プレートの上部の形状と対応することを特徴とする請求項１に記載のスピンドルモーター。
【請求項３】
前記固定部はベアリングホルダーを含み、前記プレートには前記ベアリングホルダーの固定部が形成され、前記フレキシブル回路基板には前記固定部と対応する屈曲部が形成されることを特徴とする請求項１に記載のスピンドルモーター。
【請求項４】
前記プレートは前記ベアリングホルダーの固定部の上方に屈曲形成され、前記フレキシブル回路基板は前記プレートの上部に装着されることを特徴とする請求項３に記載のスピンドルモーター。
【発明の詳細な説明】
【技術分野】
【０００１】
本発明は、スピンドルモーターに関する。
【背景技術】
【０００２】
一般的にスピンドルモーターは、回転軸を内部に収容したベアリングが回転軸を回転可能に支持することにより高精度の回転特性を維持することができ、これにより、ハードディスクドライブ、光ディスクドライブ及びその他に高速回転が求められる記録媒体の駆動手段として広く採用されている。
【０００３】
このようなスピンドルモーターにおいて、回転軸が容易に回転するように、回転軸と回転軸を軸支持するベアリングとの間に所定の流体を注入し、回転軸の回転時に動圧が発生するようにする流体動圧ベアリングが一般的に用いられている。
【０００４】
特に、２０００年代に入ってから、スピンドルモーターの軸系システムに用いられていたボールベアリングに代わり、動圧ベアリングを用いるようになるという急速な変化があった。動圧ベアリングは、既存のボールベアリングに比べて騷音が少なく、耐衝撃性及び長い寿命を有するという長所がある。
【０００５】
従来技術によるスピンドルモーターは、高速回転時にコイルとプレスホルダーやプレートのような鉄系部品と通電しやすいという問題点があった。このような問題点は、品質を低下させる根本的な要因となり、これを解決するための研究が活発になされている。
【発明の概要】
【発明が解決しようとする課題】
【０００６】
本発明は、上述のような問題点を解決するために導き出されたものであり、本発明の目的は、高速回転時にも別の部材を追加することなくモーターの性能を確保することができ、コストを低減することができるスピンドルモーターを提供することにある。
【課題を解決するための手段】
【０００７】
本発明の好ましい一実施例によるスピンドルモーターは、回転軸及びマグネットを含む回転部と、前記回転軸を支持するベアリング及び前記マグネットと対応する電機子を含む固定部とからなり、前記マグネットと前記電機子の電磁気力によって前記回転部が回転するスピンドルモーターであって、前記固定部は、前記回転軸を支持するプレートと、前記プレートの上部に装着され、前記プレートと前記電機子との間に配置されることにより通電を遮断するフレキシブル回路基板と、を含むことを特徴とする。
【０００８】
ここで、前記フレキシブル回路基板の回転軸側の端部は、前記プレートの上部の形状と対応することを特徴とする。
【０００９】
また、前記固定部はベアリングホルダーを含み、前記プレートには前記ベアリングホルダーの固定部が形成され、前記フレキシブル回路基板には前記固定部と対応する屈曲部が形成されることを特徴とする。
【００１０】
また、前記プレートは前記ベアリングホルダーの固定部の上方に屈曲形成され、前記フレキシブル回路基板は前記プレートの上部に装着されることを特徴とする。
【００１１】
本発明の特徴及び利点は、添付図面に基づいた以下の詳細な説明によってさらに明らかになるであろう。
【００１２】
本発明の詳細な説明に先立ち、本明細書及び請求範囲に用いられた用語や単語は、通常的かつ辞書的な意味に解釈されてはならず、発明者が自らの発明を最善の方法で説明するために用語の概念を適切に定義することができるという原則にしたがって本発明の技術的思想にかなう意味と概念に解釈されるべきである。
【発明の効果】
【００１３】
本発明によるスピンドルモーターは、フレキシブル回路基板の一端が電機子のコイルとプレートとの間に配置されることにより、電機子とプレートとの通電を予め防止することができる。
【００１４】
これにより、別の部材を追加することなくモーターの性能確保が可能であり、コストを低減する効果が得られる。また、潜在的な品質不良に対する根本的な解決が可能である。
【図面の簡単な説明】
【００１５】
【図１】本発明の好ましい第１実施例によるスピンドルモーターの断面図である。
【図２】本発明の好ましい第１実施例によるスピンドルモーターの一部拡大図である。
【図３】本発明の好ましい第２実施例によるスピンドルモーターの半断面図である。
【図４】本発明の好ましい第３実施例によるスピンドルモーターの半断面図である。
【発明を実施するための形態】
【００１６】
本発明の目的、特定の長所及び新規の特徴は、添付図面に係る以下の詳細な説明および好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。
【００１７】
また、本発明の説明において、係わる公知技術に対する具体的な説明が本発明の要旨を不明瞭にする可能性があると判断される場合は、その詳細な説明を省略する。
【００１８】
以下、添付の図面を参照して、本発明の好ましい実施例を詳細に説明する。
【００１９】
図１は、本発明の好ましい第１実施例によるスピンドルモーターの断面図である。
【００２０】
図１に図示されたように、本発明の好ましい実施例によるスピンドルモーター１００は、プレート１１０と、ベアリング１２０と、電機子１３０と、回転軸１４０と、ハーブ１５０と、を含む。
【００２１】
プレート１１０は、スピンドルモーター１００が全体的に固定されるように支持するためのものであり、スピンドルモーター１００が設けられるハードディスクドライブなどの装置に固定されるように設けられる。ここで、プレート１１０は、アルミニウム板またはアルミニウム合金板などの軽量材質で製作されてもよく、鋼鉄板で製作されてもよい。
【００２２】
ベアリング１２０は、回転軸１４０を回転可能に支持するためのものであり、全体的に中空の円筒状を有し、回転軸１４０と対向する内径部（不図示）に流体動圧ベアリングが形成される。
【００２３】
電機子１３０は、光ディスクが搭載されるハーブ１５０を回転させるために外部電源の印加を受けて電場を形成するためのものであり、多数の薄型金属板を積層させたコア１３１と、このコア１３１に多数回巻線されるコイル１３２とからなる。
【００２４】
コア１３１は、プレート１１０の内側結合部の外周面に固定されるように設けられ、コイル１３２は、コア１３１に巻線される。ここで、コイル１３２は、外部から印加される電流で電場を形成することにより、ハーブ１５０のマグネット１５１との間に形成される電磁気力でハーブ１５０を回転させる。
【００２５】
回転軸１４０は、ハーブ１５０を軸支持するためのものであり、ベアリング１２０の内径部に挿入され、ベアリング１２０によって回転可能に支持される。
【００２６】
ハーブ１５０は、ハードディスクなどの光ディスク（不図示）を搭載して回転させるためのものであり、回転軸１４０が固定されるように設けられる円板部（不図示）と円板部の端から延長される環状の縁部と（不図示）を有する。
【００２７】
フレキシブル回路基板１６０は、電気回路と各種電気的素子が装着された柔軟性を有する基板であり、プレート１１０の上部に装着され、電気信号を送受する。
【００２８】
フレキシブル回路基板１６０は、電機子１３０のコイル１３２と鉄系のプレート１１０とが通電することを遮断するために、プレート１１０の上部に装着され、且つ、一部がコイル１３２とプレート１１０との間に配置される。
【００２９】
フレキシブル回路基板１６０がコイル１３２とプレート１１０との間に配置され、モーターの回転時にコイル１３２とプレート１１０が通電することを遮断することを、図２から図４を参照して、より詳細に説明する。
【００３０】
図２は、本発明の好ましい第１実施例によるスピンドルモーターの一部拡大図である。
【００３１】
図２に図示されたように、フレキシブル回路基板１６０がプレート１１０の上部に装着され、且つ、プレート１１０とコイル１３２との間に配置されることにより、回転時のプレート１１０とコイル１３２との接触及び通電を防止する。
【００３２】
フレキシブル回路基板１６０は、プレート１１０の形状と対応するように形成される。即ち、プレート１１０に段差が形成されると、フレキシブル回路基板１６０もそれに対応するように曲がって形成される。即ち、フレキシブル回路基板１６０の回転軸側の端部は、プレート１１０の上部の形状に対応する。
【００３３】
図３は、本発明の好ましい第２実施例によるスピンドルモーターの半断面図である。
【００３４】
図３に図示されたように、フレキシブル回路基板１６０がプレート１１０の上部に装着され、且つ、その縁端がプレート１１０の上部に突出されるように形成されることにより、回転時のプレート１１０とコイル１３２との接触及び通電を防止する。
【００３５】
図４は、本発明の好ましい第３実施例によるスピンドルモーターの半断面図である。
【００３６】
図４に図示されたように、上方に段差状に形成されたプレート１１０の上部にフレキシブル回路基板１６０を装着する。フレキシブル回路基板１６０は、プレート１１０の上部形状と対応するように接着され、プレート１１０とコイル１３２との間に配置されることにより、モーターの高速回転時のプレート１１０とコイル１３２との接触及び通電を予め防止することができる。
【００３７】
スピンドルモーター１００は、ベアリングホルダー（不図示）を含み、プレート１１０には、ベアリングホルダー（不図示）の固定部が形成され、フレキシブル回路基板１６０には、固定部に対応する屈曲部が形成される。
【００３８】
即ち、フレキシブル回路基板１６０は、プレート１１０の形状に対応するように上部に装着され、且つ、プレート１１０と電機子１３０との間に配置されることにより、回転時のプレート１１０とコイル１３２の接触及び通電を防止する。
【００３９】
上述のような構造を有する本発明によるスピンドルモーター１００は、フレキシブル回路基板１６０の一端が電機子１３０のコイル１３２とプレート１１０との間に配置されることにより、電機子１３０とプレート１１０との通電を予め防止することができる。
【００４０】
これにより、別の部材を追加することなくモーターの性能を確保することができ、コストを低減する効果が得られる。また、潜在的な品質不良に対する根本的な解決が可能である。
【００４１】
以上、本発明を具体的な実施例に基づいて詳細に説明したが、これは、本発明を具体的に説明するためのものであり、本発明によるスピンドルモーターは、これに限定されず、該当分野における通常の知識を有する者であれば、本発明の技術的思想内にての変形や改良が可能であることは明白であろう。
【００４２】
本発明の単純な変形乃至変更は、いずれも本発明の領域に属するものであり、本発明の具体的な保護範囲は、添付の特許請求の範囲により明確になるであろう。
【産業上の利用可能性】
【００４３】
本発明は、高速回転時にも別の部材を追加することなくモーターの性能を確保することができ、コストを低減することができるスピンドルモーターに適用可能である。
【符号の説明】
【００４４】
１００  スピンドルモーター
１１０  プレート
１２０  ベアリング
１２１  ベアリング内部溝
１３０  電機子
１３１  コア
１３２  コイル
１４０  回転軸
１４１  回転軸内部端
１５０  ハーブ
１５１  マグネット
１５２  円板部
１５３  縁部
１６０  フレキシブル回路基板
【図１】
2012143122.tif 000003
【図２】
2012143122.tif 000004
【図３】
2012143122.tif 000005
【図４】
2012143122.tif 000006